【手続補正書】
【提出日】平成19年5月30日(2007.5.30)
【手続補正１】
【補正対象書類名】特許請求の範囲
【補正対象項目名】全文
【補正方法】変更
【補正の内容】
【特許請求の範囲】
【請求項１】
基準ビデオフィールド/フレームおよびテストビデオ/フレームに関するそれぞれのエッジマップを生成し、
それぞれのエッジマップ中に含まれるエッジに関連するデータを生成し、
ビデオ品質測度値を作成するために生成されたデータを使用するステップを含み、
データを生成するステップが、それぞれのエッジマップの対応するサブフィールド/フレーム要素中に含まれるエッジに関連するデータを生成することをさらに含み、
データを生成するステップが、
テストと基準のフィールド/フレームのサブ要素中のエッジ画素を計数し、
テストと基準のフィールド/フレームにおける対応するサブフィールド/フレーム要素のそれぞれのカウント間でそれぞれ差の値を決定し、
差の値に依存してエッジパラメタ値を生成することをさらに含むビデオ品質評価方法。
【請求項２】
使用するステップがエッジパラメタ値を他の解析技術から得られた他のパラメタ値と積分して、ビデオ品質値を与えることをさらに含む請求項１による方法。
【請求項３】
積分するステップが予め定められた重さ値に従ってパラメタ値を重み付けし、かつ重み付けされた値を合計することを含み、合計の結果がビデオ品質値である請求項２による方法。
【請求項４】
コンピュータシステムにより実行されるとき、システムに請求項1乃至３のいずれか1項のプロセスを実行させるように配置されたコンピュータプログラムまたは一組のプログラム。
【請求項５】
請求項４のコンピュータプログラムまたは少なくとも1つの一組のプログラムに対応するデータを組み込んでいる変調された搬送波信号。
【請求項６】
請求項４によるコンピュータプログラムまたは少なくとも1つの一組のコンピュータプログラムを記憶するコンピュータ読み出し可能な記憶媒体。
【請求項７】
基準ビデオフィールド/フレームとテストビデオ/フレームに関するそれぞれのエッジマップを生成するように使用中配置されたエッジマップ生成手段と、
それぞれのエッジマップ中に含まれたエッジに関連するデータを生成するように使用中に配置されたエッジマップ解析手段と、
生成されたデータを使用しビデオ品質測度値を作成するように使用中配置されたビデオ品質値決定手段とを含み、
エッジマップ解析手段が、それぞれのエッジマップの対応するサブフィールド/フレーム要素中に含まれるエッジに関連するデータを生成するように使用中さらに配置され、
エッジマップ解析手段が、
テストと基準のフィールド/フレームのサブ要素中のエッジ画素を計数する計数手段と、
テストと基準フィールド/フレームにおける対応するサブフィールド/フレーム要素のそれぞれのカウント間でそれぞれの差の値を決定する差決定手段と、
差の値に依存してエッジパラメタ値を計算するパラメタ計算手段とをさらに含むビデオ品質評価システム。
【請求項８】
基準とテストのビデオフィールド/フレームを解析して、それぞれの解析の結果に関連するそれぞれの解析パラメタ値を作成するように使用中それぞれ配置された1つ以上のさらなる解析手段をさらに含み、ビデオ品質値決定手段がエッジパラメタ値をさらなる解析手段から得られた他のパラメタ値と積分する積分手段をさらに含む請求項７によるシステム。
【請求項９】
積分手段が予め定められた重さ値に従ってパラメタ値を重み付けする重み付け手段と、重み付けされた値を合計する合計器とを含み、合計の結果がビデオ品質値である請求項８によるシステム。
【手続補正２】
【補正対象書類名】明細書
【補正対象項目名】０００５
【補正方法】変更
【補正の内容】
【０００５】
上記観点において、第1の態様は、
基準ビデオフィールド/フレームおよびテストビデオ/フレームに関するそれぞれのエッジマップを生成し、
それぞれのエッジマップ中に含まれるエッジに関連するデータを生成し、
ビデオ品質測度値を作成するため生成されたデータを使用するステップを含み、
データを生成するステップが、それぞれのエッジマップの対応するサブフィールド/フレーム要素中に含まれるエッジに関連するデータを生成することをさらに含み、
データを生成するステップが、
テストと基準のフィールド/フレームのサブ要素中のエッジ画素を計数し、
テストと基準のフィールド/フレームにおける対応するサブフィールド/フレーム要素のそれぞれのカウント間でそれぞれ差の値を決定し、
差の値に依存してエッジパラメタ値を生成することをさらに含むビデオ品質評価方法が提供される。
【手続補正３】
【補正対象書類名】明細書
【補正対象項目名】０００６
【補正方法】変更
【補正の内容】
【０００６】
したがって、第1の態様の発明はビデオ品質評価方法の中でエッジ検出技術を使用し、その結果、同じテスト系列の人間の主観的なテストから得られる結果でそのような方法によって得られる結果を改良する。
これは、それらが画像で起こり得る雑音と劣化に敏感であり、結果的に不一致を生じることになるエッジ抽出アルゴリズムの問題を解決する。特に、テスト系列におけるスムージング効果は、基準信号の抽出エッジと比べるとき、置換される抽出エッジで最後は終わることができる。この理由で、そのようなスムージング効果が主観的なビデオ品質評価を実行している人間のビューワによってたぶん気付かなくなっても、エッジマップの直接の画素比較は誤ったビデオ品質評価値を導くかもしれない。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
テストと基準信号のサブフィールド/フレーム要素の比較が行われ、引き出されたエッジパラメタ値はそれぞれのサブフィールド/フレーム要素間の差を示す。そして、エッジパラメタ値は最終的なビデオ品質評価値を作成するエッジデータを示す単一の値として直接使用することができる。
【手続補正６】
【補正対象書類名】明細書
【補正対象項目名】００１０
【補正方法】変更
【補正の内容】
【００１０】
望ましくは、積分するステップは予め定められた重さ値に従ってパラメタ値を重み付けして、かつ重み付けされた値を合計することを含み、結果としての合計はビデオ品質値である。
第2の態様から、本発明はまた、
基準ビデオフィールド/フレームとテストビデオ/フレームに関するそれぞれのエッジマップを生成するように使用中配置されたエッジマップ生成手段と、
それぞれのエッジマップ中に含まれたエッジに関連するデータを生成するように使用中に配置されたエッジマップ解析手段と、
生成されたデータを使用しビデオ品質測度値を作成するように使用中配置されたビデオ品質値決定手段とを含み、
エッジマップ解析手段が、それぞれのエッジマップの対応するサブフィールド/フレーム要素中に含まれるエッジに関連するデータを生成するように使用中さらに配置され、
エッジマップ解析手段が、
テストと基準のフィールド/フレームのサブ要素中のエッジ画素を計数する計数手段と、
テストと基準フィールド/フレームにおける対応するサブフィールド/フレーム要素のそれぞれのカウント間でそれぞれの差の値を決定する差決定手段と、
差の値に依存してエッジパラメタ値を計算するパラメタ計算手段とをさらに含むビデオ品質評価システムを提供する。
【手続補正７】
【補正対象書類名】明細書
【補正対象項目名】００１１
【補正方法】変更
【補正の内容】
【００１１】
第3の態様から、本発明はさらに、コンピュータシステムにより実行されるとき、システムに第1の態様の方法を実行させるように配置されたコンピュータプログラムまたは一組のプログラム提供する。コンピュータプログラムまたはプログラムは、コンピュータプログラムまたは少なくとも1つの一組のプログラムに対応するデータを組み込んでいる変調された搬送波信号、例えば、インターネットなどのネットワーク上で搬送される信号によって具体化されるかもしれない。